(57)【要約】【課題】電解液を有効に利用することができる蓄電素子を提供する。【解決手段】正極４１０および負極４２０が積層されて形成された電極体４００と、電極体４００を収容する容器１００とを備える蓄電素子１０であって、容器１００の内底部１２１の少なくとも一部に、容器１００の長手方向にわたって傾斜が設けられている。【選択図】図４
2016085912.tif 000002
【特許請求の範囲】
【請求項１】
正極および負極が積層されて形成された電極体と、前記電極体を収容する容器とを備える蓄電素子であって、
前記容器の内底部の少なくとも一部に、前記容器の長手方向にわたって傾斜が設けられている、
蓄電素子。
【請求項２】
前記傾斜は、前記容器の長手方向の端部に設けられ、前記容器の長手方向の中心部に向かって高さが低くなる形状である、
請求項１に記載の蓄電素子。
【請求項３】
前記電極体は、主電解液移動部を有し、
前記傾斜は、前記主電解液移動部に向かうほど高さが低くなる形状である、
請求項１または２に記載の蓄電素子。
【請求項４】
前記容器とは異なる別部材であって、前記容器の底面に配置される別部材を備え、
前記傾斜は前記別部材の一部によって形成されている、
請求項１〜３のいずれか一項に記載の蓄電素子。
【請求項５】
正極および負極が積層されて形成された電極体と、前記電極体を収容する容器とを備える蓄電素子であって、
前記容器の内底部の少なくとも一部に、前記容器の長手方向にわたって段差が設けられ、
前記電極体は、主電解液移動部を有し、
前記段差は、前記主電解液移動部に向かうほど高さが低くなる形状である、
蓄電素子。
【発明の詳細な説明】
【技術分野】
【０００１】
本発明は、正極および負極が積層されて形成された電極体と、電解液と、電極体および電解液を収容する容器とを備える蓄電素子に関する。
【背景技術】
【０００２】
正極と負極とが積層されて形成された電極体と、電解液と、電極体および電解液を収容する容器とを備えた蓄電素子が広く知られている。
【０００３】
ここで、特許文献１には、ケースとこのケースに内蔵する電極群との間の空間を最小化することで、電解液の浪費を減らすことができる二次電池が開示されている。また、特許文献２にはスペーサを利用して容器内の隙間を低減する蓄電素子が開示されている。
【先行技術文献】
【特許文献】
【０００４】
【特許文献１】特開２００６−０４０８９９号公報
【特許文献２】特開２０１３−１９１５４４号公報
【発明の概要】
【発明が解決しようとする課題】
【０００５】
しかしながら、本願発明者は、上記従来の蓄電素子では、電解液が十分に利用できないという問題があることを見出した。具体的には、以下のように電解液の一部が有効に機能できない場合がある事を見出した。
【０００６】
電解液は、充放電時の電極体内部の反応等により一部が消費され、長期間の使用とともに減少することがある。電極体と接している電解液は電極体内部に移動することができるが、例えば電極体内部の電解液が少なくなった場合、電解液が容器の内壁や底面に付着して残ってしまうことがあり、このような電解液は電極体内部に取り込まれることができず、充放電反応に関与できなくなってしまう。
【０００７】
また、電極体は充放電とともに膨張および収縮を繰り返すため、膨張時には容器の内壁から圧力を受け、電解液が電極体内部から容器内に浸みだすことがある。一方で、電極体の収縮時には、膨張時に電極体の外部に浸みだした電解液が逆に電極体内部に再移動する。しかし、収縮時の電解液の移動は容器内壁からの圧力がかからず自然拡散のみによる移動のため、膨張時よりも電解液の移動が遅くなる場合がある。このような場合には、電極体の内部の電解液が不足して電極の反応が不均一になり、局所的に劣化して、充放電を繰り返した際に容量が低下するという問題がある。
【０００８】
ここで、電解液が電極体の内部にうまく移動できない状況としては、例えば、角筒型または円筒型の容器の場合において、容器のコーナー部分（例えば、底面と側面との間の交線の近傍）に電解液が留まる場合が考えられる。容器のコーナー部分に留まっている電解液は、電解液の量が少なくなってくると電極体と直接接触できなくなるため、電極体内部の反応に関与できなくなるという問題がある。あるいは、電極体の形状や構造によっては、電解液が電極体の内部に比較的移動しやすい部分と移動しにくい部分とが存在する。このため、電極体と電解液が接していたとしても、電解液が電極体内部に移動しにくい部分の近傍に電解液が留まっている場合には、利用されずに残る電解液が生じ、電解液が十分に利用できない場合がある。
【０００９】
本発明は、上記問題を解決するためになされたものであり、電解液を有効に利用することができる蓄電素子を提供することを目的とする。
【課題を解決するための手段】
【００１０】
上記目的を達成するために、本発明の一態様に係る蓄電素子は、正極および負極が積層されて形成された電極体と、前記電極体を収容する容器とを備える蓄電素子であって、前記容器の内底部の少なくとも一部に、前記容器の長手方向にわたって傾斜が設けられている。
【００１１】
このような蓄電素子は、容器の内底部に長手方向にわたって傾斜が設けられているため、電解液が長手方向に移動することができる。容器の内底部が平面状である場合に比べて、電解液が電極体内部に戻りやすくなり、電極体に供給されずに残る電解液の量を減らすことができる。つまり、上述した蓄電素子では、電解液を有効に利用でき、電極体内部の電解液の不足を防止し、蓄電素子の寿命特性を向上させることができる。
【００１２】
また、前記傾斜は、前記容器の長手方向の端部に設けられ、前記容器の長手方向の中心部に向かって高さが低くなる形状であってもよい。
【００１３】
これによれば、容器の内底部のうち容器側面付近または容器の側面付近に設置された部材に付着したりするなどした電解液を移動させることができ、容器のコーナー部分に電解液が留まるのを防止することができる。
【００１４】
また、前記電極体は、主電解液移動部を有し、前記傾斜は、前記主電解液移動部に向かうほど高さが低くなる形状であってもよい。
【００１５】
これによれば、電解液が主電解液移動部に向けて移動しやすくなる。したがって、電極体内部に電解液が移動しやすい部分に電解液を集めることができるため、より有効に電極体内部に電解液を供給することができる。
【００１６】
また、前記容器とは異なる別部材であって、前記容器の底面に配置される別部材を備え、前記傾斜は前記別部材の一部によって形成されていてもよい。
【００１７】
このような蓄電素子では、スペーサを用いて傾斜を形成するので、従来の容器を利用できる。また、スペーサに傾斜を設けるため、設計が容易になる。
【００１８】
上記目的を達成するために、本発明の一態様に係る蓄電素子は、正極および負極が積層されて形成された電極体と、前記電極体を収容する容器とを備える蓄電素子であって、前記容器の内底部の少なくとも一部に、前記容器の長手方向にわたって段差が設けられ、前記電極体は、主電解液移動部を有し、前記段差は、前記主電解液移動部に向かうほど高さが低くなる形状である。
【００１９】
これによれば、主電解液移動部に向うほど高さが低くなる段差あるいは傾斜を備えるので、電解液をスムーズに電極体の主電解液移動部に向けて移動させることができる。これにより、電極体に供給されずに残る電解液の量を減らして、電解液を有効に利用でき、電解液の不足を防止し、蓄電素子の寿命特性を向上させることができる。
【発明の効果】
【００２０】
本発明に係る蓄電素子によれば、電解液を有効に利用することができ、電解液の不足を防止して、蓄電素子の寿命特性を向上させることができる。
【図面の簡単な説明】
【００２１】
【図１】実施の形態１に係る蓄電素子の外観を模式的に示す斜視図である。
【図２】実施の形態１に係る蓄電素子の容器の容器本体を分離して蓄電素子が備える各構成要素を示す斜視図である。
【図３】実施の形態１に係る電極体の構成を示す斜視図である。
【図４】実施の形態１に係る蓄電素子の一例を示す図である。
【図５】実施の形態１に係る図１のＡ−Ａ部分の断面を示す断面図である。
【図６】実施の形態１の変形例１に係る蓄電素子の一例を示す図である。
【図７】実施の形態１の変形例２に係る蓄電素子の一例を示す図である。
【図８】実施の形態２に係る蓄電素子の一例を示す図である。
【図９】実施の形態２の変形例１に係る蓄電素子の一例を示す図である。
【図１０】実施の形態３に係る蓄電素子の一例を示す図である。
【図１１】実施の形態および変形例に係る電極体の他の一例を示す図である。
【図１２】実施の形態および変形例に係る電極体の他の一例を示す図である。
【発明を実施するための形態】
【００２２】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００２３】
（実施の形態１）
実施の形態１の蓄電素子１０について、図１〜図５を用いて説明する。
【００２４】
［１．蓄電素子の構成］
図１は、本実施の形態に係る蓄電素子１０の外観を模式的に示す斜視図である。図２は、本実施の形態に係る蓄電素子１０の容器１００の容器本体１１１を分離して蓄電素子１０が備える各構成要素を示す斜視図である。
【００２５】
以下の説明では、後で詳述するが、容器１００が直方体状の容器である場合を例に説明する。また、本実施の形態においては、鉛直方向をＺ軸方向とし、容器１００の長手方向および短手方向をそれぞれＸ軸方向およびＹ軸方向とする。なお、容器１００の長手方向および短手方向とは、容器１００をＺ軸方向からみた際の形状に基づいて定義する。また、以下の説明において、容器１００の内底部とは、容器１００の内側の底面を指し、容器１００の内側の底面上にスペーサ等の部材が配置されている場合には、該部材が実質的に容器の内側の底を形成している面または部分、すなわち、該部材のうち、容器１００の底面と接していない面または部分を含む。
【００２６】
本実施の形態では、蓄電素子１０が、Ｚ軸方向が重力方向に平行となる状態、つまり、Ｘ軸およびＹ軸に平行な面が水平面に平行となる状態で、使用される場合を例に説明するが、これに限られるものではない。なお、蓄電素子１０は、Ｚ軸方向が重力方向に平行となる状態で使用されることが望ましいが、Ｚ軸方向が重力方向からずれていても構わない。
【００２７】
蓄電素子１０は、電気を充電し、また、電気を放電することのできる二次電池であり、より具体的には、リチウムイオン二次電池などの非水電解質二次電池である。例えば、蓄電素子１０は、電気自動車（ＥＶ）、プラグインハイブリッド電気自動車（ＰＨＥＶ）、またはハイブリッド電気自動車（ＨＥＶ）等に適用される。なお、蓄電素子１０は、非水電解質二次電池には限定されず、非水電解質二次電池以外の二次電池であってもよいし、キャパシタであってもよい。
【００２８】
これらの図に示すように、蓄電素子１０は、容器１００と、正極端子２００と、負極端子３００とを備えている。また、容器１００の内方には、電極体４００と、正極集電体２２０と、負極集電体３２０と、第一スペーサ５０１および５０２とが収容されている。蓄電素子１０の容器１００の内部には電解液（非水電解質）などの液体が封入されているが、当該液体の図示は省略する。なお、容器１００に封入される電解液としては、蓄電素子１０の性能を損なうものでなければその種類に特に制限はなく様々なものを選択することができる。
【００２９】
［１−１．容器、正極端子および負極端子の構成］
容器１００は、有底の角筒状の容器本体１１１と、容器本体１１１の開口を閉塞する板状部材である蓋体１１０とで構成されている。容器本体１１１と蓋体１１０とが組み合わされることで、容器１００は直方体状になる。また、容器１００は、電極体４００等を内部に収容後、蓋体１１０と容器本体１１１とが溶接等されることにより、内部を密封することができるものとなっている。なお、蓋体１１０および容器本体１１１の材質は、特に限定されないが、例えばステンレス鋼、アルミニウム、アルミニウム合金など溶接可能な金属であるのが好ましい。
【００３０】
容器１００の底面１２１は、本実施の形態では、使用状態における水平面からの高さが略均一な平面となっている。容器１００の長手方向で対向する側面を短側面１１２および１１３とし、容器１００の短手方向で対向する側面を長側面１１４および１１５とする。
【００３１】
正極端子２００は、後述する電極体４００の正極に電気的に接続された電極端子であり、負極端子３００は、電極体４００の負極に電気的に接続された電極端子である。つまり、正極端子２００および負極端子３００は、電極体４００に蓄えられている電気を蓄電素子１０の外部空間に導出し、また、電極体４００に電気を蓄えるために蓄電素子１０に通電するための金属製の電極端子である。また、正極端子２００および負極端子３００は、電極体４００の上方に配置された蓋体１１０に取り付けられている。
【００３２】
［１−２．電極体の構成］
電極体４００は、正極と負極とセパレータとを備え、電気を蓄えることができる部材である。正極は、正極基材層上に正極活物質層が形成されたものである。また、負極は、負極基材層上に負極活物質層が形成されたものである。また、セパレータは、微多孔性のシートであり、例えば、織布、不織布、合成樹脂微多孔膜等を用いることができる。
【００３３】
電極体４００は、図２に示すように、本実施の形態では、容器１００内に設置された状態で、長手方向の長さが第一スペーサ５０１の第一側面部５１０と第一スペーサ５０２の第一側面部５１０との間の長さにほぼ等しくなるように設定されている。
【００３４】
以下、電極体４００の具体的な構成について、図３を用いて説明する。
【００３５】
図３は、電極体４００の一部を取り除いて正極４１０、負極４２０、第一セパレータ４３１および第二セパレータ４３２を露出させた斜視図である。
【００３６】
電極体４００は、図３に示すように、正極４１０と、第一セパレータ４３１と、負極４２０と、第二セパレータ４３２とがこの順に積層されている。電極体４００は、断面が長円形状になるように巻回されており、巻回軸Ｂが図１〜図３に示すＸ軸方向を向くように容器本体１１１に挿入される。なお、図３では、電極体４００の形状としては長円形状を示したが、円形状または楕円形状でもよい。
【００３７】
正極４１０は、本実施の形態では、アルミニウムあるいはアルミニウム合金からなる長尺帯状の正極基材層の両表面に、正極活物質層が形成されたものである。正極４１０のＸ軸方向マイナス側の端縁部は、正極活物質が塗工されておらず、正極接続部４０１を形成している。正極接続部４０１は第一セパレータ４３１および第二セパレータ４３２の端部よりもＸ軸方向マイナス側に配置されている。正極接続部４０１が形成される側を電極体４００の正極側と称する。なお、本発明に係る蓄電素子１０に用いられる正極４１０は、特に従来用いられてきたものと異なるところはなく、通常用いられているものが使用できる。
【００３８】
例えば、正極活物質としては、ＬｉＭＰＯ４、Ｌｉ２ＭＳｉＯ４、ＬｉＭＢＯ３（ＭはＦｅ、Ｎｉ、Ｍｎ、Ｃｏ等から選択される１種または２種以上の遷移金属元素）等のポリアニオン化合物、チタン酸リチウム、マンガン酸リチウム等のスピネル化合物、Ｌｉ１＋αＭ１−αＯ２（０≦α＜１、ＭはＦｅ、Ｎｉ、Ｍｎ、Ｃｏ等から選択される１種または２種以上の遷移金属元素）等のリチウム遷移金属酸化物等を用いることができる。
【００３９】
負極４２０は、本実施の形態では、銅あるいは銅合金からなる長尺帯状の負極基材層の両表面に、負極活物質層が形成されたものである。負極４２０のＸ軸方向プラス側の端縁部は、負極活物質が塗工されておらず、負極接続部４０２を形成している。負極接続部４０２は第一セパレータ４３１および第二セパレータ４３２の端部よりもＸ軸方向プラス側に配置されている。負極接続部４０２が形成される側を電極体４００の負極側と称する。なお、本発明に係る蓄電素子１０に用いられる負極４２０は、特に従来用いられてきたものと異なるところはなく、通常用いられているものが使用できる。
【００４０】
例えば、負極活物質としては、リチウムイオンを吸蔵放出可能な負極活物質であれば、適宜公知の材料を使用できる。例えば、リチウム金属、リチウム合金（リチウム−アルミニウム、リチウム−鉛、リチウム−錫、リチウム−アルミニウム−錫、リチウム−ガリウム、およびウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、金属酸化物、リチウム金属酸化物（Ｌｉ４Ｔｉ５Ｏ１２等）、ポリリン酸化合物などが挙げられる。
【００４１】
第一セパレータ４３１および第二セパレータ４３２の幅は、本実施の形態では、ほぼ同じである。
【００４２】
また、電極体４００は、図２に示すように、絶縁性のフィルムである絶縁フィルム４５０が周囲に巻きつけられている。ここで、絶縁フィルム４５０は、長方形状のシート状の樹脂製の部材であり、電極体４００に巻きつけられて、巻き終わり部分を絶縁テープなどにより留められることで、固定される。なお、絶縁フィルム４５０の材質は、絶縁性を有するフィルムであれば限定されない。絶縁フィルム４５０は、電極体４００のＸ軸方向の両端部を除く部分を覆っている。より詳しくは、絶縁フィルム４５０は、第一セパレータ４３１および第二セパレータ４３２が設けられている部分を覆っているが、電極体４００のＸ軸方向の端部に設けられた正極接続部４０１および負極接続部４０２は、絶縁フィルム４５０に覆われていない。
【００４３】
さらに、図３では、電極体４００の破線４４０により囲まれた部分が、容器１００内に収容されたときに、容器１００の内底部１２０に対向する部分となる。当該部分には、電解液が電極体４００の内部に移動しやすい主電解液移動部４６１および４６２が含まれる。
【００４４】
主電解液移動部４６１および４６２は、電極体４００のＸ軸方向の端部にあたる。主電解液移動部４６１は、容器１００の内底部１２０に対向する部分のうち、正極接続部４０１が形成されている部分である。主電解液移動部４６２は、容器１００の内底部１２０に対向する部分のうち、負極接続部４０２が形成されている部分である。
【００４５】
主電解液移動部４６１および４６２は、極板の端部が露出し、電解液に直接接触しているため、電解液が電極体内部に向かってＸ軸方向に移動できる。一方で、極板の端部が露出していない部分において電解液が電極体内部に移動するためには、積層された正極４１０および負極４２０、セパレータ４３１、４３２を透過する方向に電解液が移動する必要がある。このような方向には電解液は移動しづらいため、主電解液移動部４６１および４６２は、他の部分に比べて電解液が電極体の内部に移動しやすい部分である。
【００４６】
また、絶縁フィルム４５０に覆われた部分は、同様に電解液が絶縁フィルムを透過する必要があるため、絶縁フィルム４５０が多孔性を有しない場合や多孔度が低い場合は、このような方向には電解液が移動しづらい。したがって、このような絶縁フィルムで覆われた部分４５１は、電解液が電極体内部へと移動しづらい部分となる。
【００４７】
なお、電極体４００では、使用状態において、正極４１０と第一セパレータ４３１との間、第一セパレータ４３１と負極４２０との間、負極４２０と第二セパレータ４３２との間、および、第二セパレータ４３２と正極４１０との間に電解液が浸み込んでいる。さらに、本実施の形態では、活物質層、第一セパレータ４３１および第二セパレータ４３２等にも電解液が浸み込んでいる。
【００４８】
［１−３．正極集電体および負極集電体の構成］
正極集電体２２０は、電極体４００の正極側に配置され、正極端子２００と電極体４００の正極とに電気的に接続される導電性と剛性とを備えた部材である。なお、正極集電体２２０は、電極体４００の正極基材層と同様、アルミニウムまたはアルミニウム合金などで形成されている。具体的には、正極集電体２２０は、電極体４００の正極接続部４０１に溶接等によって接合されることで、電極体４００の正極と接続される。
【００４９】
負極集電体３２０は、電極体４００の負極側に配置され、負極端子３００と電極体４００の負極とに電気的に接続される導電性と剛性とを備えた部材である。なお、負極集電体３２０は、電極体４００の負極基材層と同様、銅または銅合金などで形成されている。具体的には、負極集電体３２０は、電極体４００の負極接続部４０２に溶接等によって接合されることで、電極体４００の負極と接続される。
【００５０】
［１−４．スペーサの構成］
図４は、本実施の形態に係る蓄電素子１０の一例を示す図である。図４は、第一スペーサ５０１および５０２を容器１００内に配置した状態で、図１のＡ−Ａ部分において蓄電素子１０をＸＺ平面に平行な面で切断した場合の容器１００、第一スペーサ５０１および５０２の形状を示す斜視図である。
【００５１】
図５は、図１のＡ−Ａ部分において蓄電素子１０をＸＺ平面に平行な面で切断した場合の蓄電素子１０の断面を示す断面図である。なお、図４および図５では、第一スペーサ５０１および５０２の形状は、説明のため、簡略化して図示している。
【００５２】
第一スペーサ５０１および５０２は、容器１００とは異なる別部材であって、容器１００の底面１２１上に（容器１００の底部に）配置される。第一スペーサ５０１および５０２は、正極集電体２２０および負極集電体３２０の側方、短側面１１２および１１３に接して配置されるスペーサである。言い換えると、第一スペーサ５０１および５０２は、電極体４００のＸ軸方向の端部を、Ｘ軸方向プラス側およびＸ軸方向マイナス側から挟み込むように配置されている。
【００５３】
第一スペーサ５０１は、第一側面部５１０と一対の第二側面部５２０と底面部５３０とを有する。
【００５４】
第一側面部５１０は、容器１００の短側面１１２と、正極集電体２２０との間に配置される。第一側面部５１０には、下部に開口部５１１が形成されている。開口部５１１は、本実施の形態では、円柱状の貫通孔である。なお、開口部は、円柱状の貫通孔だけでなく、角柱状あるいは錐台状の貫通孔、あるいは、切り欠き等、他の形状であっても構わない。開口部５１１の形状は、第一側面部５１０と容器１００との間の電解液が電極体４００の主電解液移動部４６１側に移動できるような形状であれば良い。また、開口部５１１は、容器１００内の電解液が減少した場合でも、第一側面部５１０と容器１００との間の電解液が電極体４００の端部に移動できるような位置に形成されることが望ましい。
【００５５】
第一側面部５１０には、さらに、開口部５１１のＺ軸方向プラス側に、四角柱状の開口部５１２が形成されている。言い換えると、開口部５１２は、断面が長方形状のスリットである。開口部５１２の近傍に電極体４００のＸ軸方向の端部が接しているため、開口部５１２に溜まった電解液は、電極体４００のＸ軸方向の端部から電極体４００の内部に移動できる。また、開口部５１２の底面が斜面となるように構成してもよい。
【００５６】
なお、開口部５１１、５１２は本実施の形態における蓄電素子１０の必須構成ではない。
【００５７】
一対の第二側面部５２０は、容器１００の長側面１１４と電極体４００との間、および、容器１００の長側面１１５と電極体４００との間に配置される。また、一対の第二側面部５２０は、Ｙ軸方向において電極体４００を両側から挟み込むように配置されている。一対の第二側面部５２０には、それぞれ、下部（Ｚ軸方向マイナス側）に開口部５２１が形成されている。開口部５２１は、本実施の形態では、円柱状の貫通孔である。なお、開口部は、円柱状の貫通孔だけでなく、角柱状あるいは錐台状の貫通孔、あるいは、切り欠き等、他の形状であっても構わない。開口部５２１の形状は、第二側面部５２０と容器１００との間の電解液が電極体４００の端部に移動できるような形状であれば良い。また、開口部５２１は、容器１００内の電解液が減少した場合でも、第二側面部５２０と容器１００との間の電解液が電極体４００の端部に移動できるような位置に形成されることが望ましい。
【００５８】
さらに、図２および図４に示すように、一対の第二側面部５２０の各々には、内側に向けて突出する凸部５２２が設けられていても構わない。電極体４００は、２つの凸部５２２の間に、当該電極体４００のＸ軸方向の端部が挟み込まれた状態で配置される。また、この凸部５２２に、開口部５２１を設けてもよい。このように構成することで、凸部の外側に溜まった電解液が内側に移動できる。
【００５９】
底面部５３０は、底面１２１と短側面１１２とで形成されるコーナー部分に接して配置される。底面部５３０は、図４および図５に示すように、容器１００の長手方向の端部に設けられ、容器１００の長手方向の中心部に向かって高さが低くなる形状を有している。内底部の形状は、傾斜だけではなく段差なども含む。容器１００のコーナー部分に電解液が留まらない形状であれば、複数の傾斜、あるいは、傾斜と段差（水平面）とを組み合わせた構成であっても構わない。傾斜には、図５に示すＸＺ平面における断面の形状が直線状の形状だけでなく、湾曲した形状をも含む。容器１００のコーナー部分に電解液が留まらない形状としては、例えば、２つの面の角度（例えば、２つの傾斜面の角度、水平面と傾斜面との角度、側面と傾斜面との角度等）が鈍角になる場合が考えられる。本実施の形態では、図５に示すように、底面１２１と第一スペーサ５０１の底面部５３０の上面との角度、および、第一側面部５１０と底面部５３０の上面との角度は、鈍角になっている。つまり、底面部５３０により、容器１００のコーナー部分に電解液が留まりにくい構成になっていると言える。また、底面部５３０の上面の高低差は、電解液が容器１００の長手方向の中心部に向かって流れる程度の差があることが好ましい。なお、図４および図５においては説明のため高低差が一目でわかるような例を示しているが、必ずしも図面に示されたような寸法が求められるわけではなく、より小さな高低差を有していてもよい。
【００６０】
第一スペーサ５０２は、第一スペーサ５０１とＹＺ平面に対し対称な形状となっている。
【００６１】
なお、本実施の形態では、傾斜面のＸＺ平面の断面の形状は、直線状となっているが、これに限られるものではない。階段状、あるいは、湾曲した形状等、任意の形状であって良い。
【００６２】
また、本実施の形態では、第一スペーサ５０１および５０２のそれぞれに、３箇所に開口部を形成したが、開口部の数および配置はこれに限られるものではない。第一スペーサ５０１および５０２は、開口部を設けない構成であっても構わない。
【００６３】
さらに、本実施の形態では、第一スペーサ５０１および５０２の底面部５３０が容器１００内に配置されたときに、容器１００の長手方向の中心部に向かって高さが低くなる形状を有している場合について説明したが、これに限られるものではない。スペーサの機能を有していない部材が当該形状を有していても構わない。例えば、第一スペーサ５０１および５０２の底面部５３０だけを有する部材であっても構わない。
【００６４】
［１−５．作用効果等］
本実施の形態では、容器１００のコーナー部分に、長手方向にわたって設けられた傾斜を有する第一スペーサ５０１および５０２を配置した。これにより、本実施の形態の蓄電素子１０は、容器１００のコーナー部分に電解液が留まりにくい構成となっている。上述したように、電極体は充放電によって膨張および収縮を繰り返す。本実施の形態の蓄電素子１０では、コーナー部分に電解液が留まりにくいため、電解液が電極体４００の内部に移動しやすくなる。したがって、電解液を有効利用でき、かつ、電極体４００の内部の電解液の不足を防止して、寿命特性を向上させることが可能になる。
【００６５】
より詳細には、上述したように、電極体４００は、電解液の電極体内部への移動のしやすさが一様ではなく、電解液が電極体４００の内部に比較的移動しやすい主電解液移動部４６１および４６２が形成されている。このため、主電解液移動部４６１または４６２の近傍以外に電解液が留まっている場合には、十分に利用されずに残る電解液が生じるという問題がある。例えば、正極および負極を巻回した巻回型の電極体の場合、巻回軸方向の端部では電解液が電極体４００の内部に移動しやすいが、積層方向には透過しづらく、この方向では電解液が電極体４００の内部に移動しにくい。つまり、本実施の形態のような巻回型の電極体４００の場合、巻回軸方向の端部は主電解液移動部４６１および４６２となり、積層型の電極体の場合も、積層方向には透過しづらく、端部が露出している部分は主電解液移動部となる。本実施の形態では、上述したように、第一スペーサ５０１および５０２を設けたことにより、容器１００のコーナー部分に電解液が留まりにくい構成となっているため、電極体４００に供給されずに残る電解液の量を減らすことができる。つまり、本実施の形態の蓄電素子１０は、第一スペーサ５０１および５０２を設けることにより、電解液を有効に利用し、電極体４００の内部の電解液の不足を防止して蓄電素子１０の寿命特性の低下を低減させることができる。
【００６６】
また、本実施の形態では、容器１００ではなく第一スペーサが傾斜を有するため、容器に加工を施すことなく、従来の容器１００をそのまま利用することができる。
【００６７】
（実施の形態１の変形例１）
蓄電素子１０の実施の形態１の変形例１について、図６を用いて説明する。
【００６８】
本変形例の蓄電素子１０は、実施の形態の蓄電素子１０の第一スペーサ５０１および５０２に代えて、第二スペーサを追加した構成となっている。
【００６９】
図６は、本変形例に係る蓄電素子１０の一例を示す図である。図６は、第二スペーサ６００を容器１００内に配置した状態で、図１のＡ−Ａ部分において蓄電素子１０をＸＺ平面に平行な面で切断した場合の容器１００、および、第二スペーサ６００の形状を示す斜視図である。
【００７０】
蓄電素子１０は、容器１００と、正極端子２００と、負極端子３００とを備えている。また、容器１００の内方には、電極体４００と、正極集電体２２０と、負極集電体３２０と、第二スペーサ６００とが収容されている。電極体４００、正極集電体２２０および負極集電体３２０の構成は、実施の形態と同じである。
【００７１】
第二スペーサ６００は、容器１００とは異なる別部材であって、容器１００の底面１２１に配置される。第二スペーサ６００は、容器１００の長手方向の中心部に配置される。なお、第二スペーサ６００の位置決め方法（固定方法）は任意である。第二スペーサ６００は、接着により容器１００に固定されても構わない。あるいは、容器１００の底面１２１および第二スペーサ６００の底面の各々に互いに噛み合うような形状の凹凸部を設け、当該凹凸部を噛み合わせることにより位置決めされても構わない。
【００７２】
第二スペーサ６００は、断面が台形の角柱状の形状を有している。第二スペーサ６００は、台形状の１対の側面と、１対の側面の底辺に接する長方形状の底面と、１対の側面の斜辺に接する１対の長方形状の傾斜面６０１および６０２と、１対の側面の上辺に接する長方形状の上面６０３とで構成される。第二スペーサ６００は、図６に示すように、台形状の１対の側面が長側面１１４および１１５に接するように配置される。
【００７３】
第二スペーサ６００の傾斜面６０１および６０２は、図６に示すように、容器１００の長手方向の中心部から電極体４００の主電解液移動部に対向する部分に向かうほど高さが低くなるように構成されている。傾斜面６０１は、電極体４００の主電解液移動部４６１に対向する部分に向うほど高さが低くなる傾斜面である。傾斜面６０２は、電極体４００の主電解液移動部４６２に対向する部分に向うほど高さが低くなる傾斜面である。なお、傾斜面６０１の底面１２１に対する傾斜角と、傾斜面６０２の底面１２１に対する傾斜角とは必ずしも同じである必要はない。
【００７４】
上面６０３は、容器１００の底面１２１および電極体４００の底面（第二スペーサ６００に対向する面）と平行になるように設計されている。電極体４００の底面と上面６０３とが接する、あるいは、電極体４００と上面６０３との隙間を小さく設計することにより、電極体４００の振動等を抑えることが可能になる。言い換えると、第二スペーサ６００は、容器１００の底面１２１と電極体４００との間の隙間を低減するスペーサとしても機能する。
【００７５】
なお、本変形例では、傾斜面６０１および６０２が長方形状である場合を例に説明したが、これに限られるものではない。傾斜面６０１および６０２は、電解液が留まらない形状であれば、複数の傾斜、あるいは、傾斜と段差（水平面）とを組み合わせた構成であっても構わない。さらに、ＸＺ平面に平行な断面における傾斜面６０１および６０２の形状は、直線状だけでなく、湾曲した形状であっても構わない。また、傾斜面６０１および６０２の形状は、同じ形状である必要はない。
【００７６】
容器１００の底面１２１と傾斜面６０１との角度、傾斜面６０１と上面６０３との角度、上面６０３と傾斜面６０２との角度、傾斜面６０２と容器１００の底面１２１との角度は、全て、鈍角となっている。このため、本変形例では、電極体４００の下部に電解液が溜まりにくい構成となっている。
【００７７】
このように、本変形例では、長手方向にわたって傾斜を有する第二スペーサ６００が配置されているので、電極体４００の下部に電解液が留まりにくくすることができる。これにより、実施の形態と同様に、電解液を有効に利用して電極体４００の内部の電解液の不足を防止し、蓄電素子１０の寿命特性を向上させることができる。また、本変形例においても、容器１００ではなく、第二スペーサ６００が傾斜を有するため、従来の容器１００をそのまま利用することができる。
【００７８】
なお、本変形例では、第二スペーサ６００のみを容器１００内に配置する場合を例に説明したが、これに限るものではない。第一スペーサ５０１および５０２と第二スペーサ６００とを容器１００内に配置しても構わない。この場合、第一スペーサ５０１と第二スペーサ６００との間、および、第一スペーサ５０２と第二スペーサ６００との間に、隙間が形成されていても構わないし、隙間が形成されないようにサイズが決定されても構わない。また、第二スペーサ６００、第一スペーサ５０１および５０２は、一部が重なるように配置されても構わない。
【００７９】
さらにこの場合において、第一スペーサ５０１および５０２に変えて、第一スペーサ５０１および５０２の底面部５３０だけを有する部材が配置されていても構わない。
【００８０】
また、本変形例では、断面（１対の側面）の形状が台形状である場合を例に説明したが、三角形状あるいは半月状等、他の形状であっても構わない。
【００８１】
（実施の形態１の変形例２）
蓄電素子１０の実施の形態１の変形例２について、図７を用いて説明する。
【００８２】
本変形例の蓄電素子１０は、実施の形態１の第一スペーサ５０１および５０２、変形例１の第二スペーサ６００とは形状の異なる第三スペーサ７００を備えている。
【００８３】
図７は、本変形例に係る蓄電素子１０の一例を示す図である。図７は、第三スペーサ７００を容器１００内に配置した状態で、図１のＡ−Ａ部分において蓄電素子１０をＸＺ平面に平行な面で切断した場合の容器１００、および、第三スペーサ７００の形状を示す斜視図である。
【００８４】
蓄電素子１０は、容器１００と、正極端子２００と、負極端子３００とを備えている。また、容器１００の内方には、電極体４００と、正極集電体２２０と、負極集電体３２０と、第三スペーサ７００とが収容されている。電極体４００、正極集電体２２０および負極集電体３２０の構成は、実施の形態と同じである。
【００８５】
第三スペーサ７００は、容器１００とは異なる別部材であって、容器１００の底面１２１に配置される。第三スペーサ７００は、底面の大きさが、容器１００の底面１２１の大きさと略同じである。
【００８６】
第三スペーサ７００は、矩形状の１対の側面と、４つの長方形状の傾斜面７０１〜７０４と、３つの長方形状の上面７０５〜７０７と、長方形状の底面とを備えている。より具体的には、傾斜面７０１および７０３は、容器１００の長手方向の中心部に向って高さが低くなる傾斜面である。すなわち、傾斜面７０１および７０３は、Ｘ軸方向マイナス側からＸ軸方向プラス側に向かうほど高さが低くなる傾斜面となっている。傾斜面７０２および７０４は、容器１００の長手方向の中心部から、主電解液移動部４６１および４６２のそれぞれに向って高さが低くなる傾斜面である。すなわち、傾斜面７０２および７０４は、Ｘ軸方向プラス側からＸ軸方向マイナス側に向かうほど高さが低くなる傾斜面となっている。
【００８７】
上面７０５〜７０７は、容器１００の底面１２１と平行になるように設計された面である。上面７０５は、傾斜面７０１と７０２とを繋ぐ面である。上面７０６は、傾斜面７０２と７０３とを繋ぐ面である。上面７０７は、傾斜面７０３と７０４とを繋ぐ面である。
【００８８】
言い換えると、傾斜面７０１、傾斜面７０２および上面７０５により、凹部が形成され、傾斜面７０２、傾斜面７０３および上面７０６により、凸部が形成され、傾斜面７０３、傾斜面７０４および上面７０７により、凹部が形成される。
【００８９】
言い換えると、第三スペーサ７００は、実施の形態１の第一スペーサ５０１および５０２の底面部５３０と、変形例１の第二スペーサ６００とを、底面に配置された板状の部材で繋いで一体化した構成となっている。
【００９０】
なお、本変形例では、傾斜面７０１〜７０４が長方形状である場合を例に説明したが、これに限られるものではない。電解液が留まらない形状であれば、複数の傾斜、あるいは、傾斜と段差（水平面）とを組み合わせた構成であっても構わない。さらに、図７に示す断面における傾斜面７０１〜７０４の形状は、直線状だけでなく、湾曲した形状であっても構わない。また、傾斜面７０１〜７０４の形状は、同じ形状である必要はない。言い換えると、傾斜面７０１、傾斜面７０２および上面７０５により、あるいは、傾斜面７０３、傾斜面７０４および上面７０７により、ＸＺ平面に平行な断面が逆台形状（下辺が上辺よりも短い）の凹部が形成されているが、これに限るものではない。凹部のＸＺ平面に平行な断面の形状は、半円状、直線と円弧の組み合わせ等、電解液が留まりにくい形状であれば構わない。また、凹部の形状が柱状である場合を例に説明したが、これに限るものではない。凹部の形状は、長手方向にわたる傾斜を有する形状であれば、球状等、他の形状であっても構わない。なお、傾斜面７０２、傾斜面７０３および上面７０６により形成される凸部（いわゆる第二スペーサ６００に対応する部分）の形成についても、直線状だけでなく、湾曲した形状等、他の形状であっても構わない。
【００９１】
また、本変形例の第三スペーサ７００は、実施の形態１の第一スペーサ５０１および５０２の底面部５３０と、変形例１の第二スペーサ６００とを、底面に配置された板状の部材で繋いで一体化した形状となっているが、これに限るものではない。実施の形態１の第一スペーサ５０１および５０２の底面部５３０だけでなく、第一スペーサ５０１および５０２の第一側面部５１０および一対の第二側面部５２０を含む形状であっても構わない。あるいは、第二スペーサ６００に対応する部分の形状が、三角柱あるいは半円柱等、他の形状であっても構わない。
【００９２】
容器１００の短側面１１２と傾斜面７０１との角度、傾斜面７０１と上面７０５との角度、上面７０５と傾斜面７０２との角度、傾斜面７０２と上面７０６との角度、上面７０６と傾斜面７０３との角度、傾斜面７０３と上面７０７との角度、上面７０７と傾斜面７０４との角度、傾斜面７０４と容器１００の短側面１１３との角度は、全て、鈍角となっている。言い換えると、本変形例では、容器１００の内底部に着目すると、全ての面が長手方向に隣接する他の面と鈍角で交差している。このため、本変形例では、容器１００の底部に電解液が溜まりにくい構成となっている。
【００９３】
このように、本変形例では、長手方向にわたって傾斜を有する第三スペーサ７００が配置されているので、容器１００の底部に電解液が留まりにくくすることができる。これにより、実施の形態および変形例１と同様に、電解液を有効に利用して電極体４００の内部の電解液の不足を防止し、蓄電素子１０の寿命特性を向上させることができる。
【００９４】
また、本変形例においても、容器１００ではなく第三スペーサ７００が傾斜を有するため、従来の容器１００をそのまま利用することができる。
【００９５】
（実施の形態２）
実施の形態２の蓄電素子１０の構成について、図８を用いて説明する。
【００９６】
本実施の形態の蓄電素子１０は、スペーサではなく、容器１００が、容器１００の長手方向の中心部に向って高さが低くなる傾斜を有している。
【００９７】
本実施の形態の蓄電素子１０は、蓄電素子１０は、容器１００と、正極端子２００と、負極端子３００とを備えている。また、容器１００の内方には、電極体４００と、正極集電体２２０と、負極集電体３２０とが収容されている。正極端子２００、負極端子３００、電極体４００、正極集電体２２０および負極集電体３２０の構成（つまり、スペーサおよび容器以外の構成）は、実施の形態１と同じである。
【００９８】
［２−１．容器の構成］
図８は、本実施の形態に係る蓄電素子１０の一例を示す図である。図８は、図１のＡ−Ａ部分において蓄電素子１０をＸＺ平面に平行な面で切断した場合の容器１００の形状を示す斜視図である。
【００９９】
図８に示すように、本実施の形態の容器１００は、容器１００の長手方向の中心に向って高さが低くなる傾斜面１２２および１２３を有している。言い換えると、本変形例の容器１００には、Ｘ軸方向において、短側面１１２から容器１００の長手方向の中心に向って高さが低くなる傾斜面１２２が形成されている。さらに、本変形例の容器１００には、短側面１１３から容器１００の長手方向の中心に向って高さが低くなる傾斜面１２３が形成されている。
【０１００】
なお、本変形例では、傾斜面１２２および１２３が長方形状である場合を例に説明したが、これに限られるものではない。傾斜面１２２および１２３は、電解液が留まらない形状であれば、複数の傾斜、あるいは、傾斜と段差（水平面）とを組み合わせた構成であっても構わない。さらに、ＸＺ平面に平行な断面における傾斜面１２２および１２３の形状は、直線状だけでなく、湾曲した形状であっても構わない。また、傾斜面１２２および１２３の形状は、同じ形状である必要はない。
【０１０１】
［２−２．作用効果等］
傾斜面１２２と短側面１１２との角度、および、傾斜面１２２と底面１２１との角度は鈍角である。また、傾斜面１２３と短側面１１３との角度、および、傾斜面１２３と底面１２１との角度は鈍角である。言い換えると、本変形例では、容器１００の内底部に着目すると、全ての面が長手方向に隣接する他の面と鈍角で交差している。このため、本変形例では、容器１００のコーナー部に電解液が溜まりにくい構成となっている。
【０１０２】
このように、本実施の形態では、第一スペーサ５０１および５０２を設ける実施の形態１の蓄電素子１０と同様に、容器１００の内底部１２０の少なくとも一部に、傾斜が容器１００の長手方向にわたって設けられているので、電解液を有効に利用して電極体４００の内部の電解液の不足を防止し、蓄電素子１０の寿命特性を向上させることができる。
【０１０３】
さらに、本変形例では、容器１００が内底部に長手方向にわたって傾斜を有するので、第一スペーサ５０１および５０２のような別部材を設けることなく課題を解決できる。別部材を設けない構成のため、設計によっては、製造コストを低減させ、製造を容易にすることが可能である。また、別部材の位置決め等にかかる手間を省くことができる。
【０１０４】
（実施の形態２の変形例１）
蓄電素子１０の実施の形態２の変形例１について、図９を用いて説明する。
【０１０５】
本変形例の蓄電素子１０は、実施の形態２とは容器１００の形状が異なっている。
【０１０６】
図９は、本変形例に係る蓄電素子１０の一例を示す図である。図９は、図１のＡ−Ａ部分において蓄電素子１０をＸＺ平面に平行な面で切断した場合の容器１００の形状を示す斜視図である。
【０１０７】
図９に示すように、本変形例の容器１００は、容器１００の長手方向の中心部から、電極体４００の主電解液移動部４６１および４６２のそれぞれに対向する部分に向かうほど高さが低くなる２つの傾斜面１２４および１２５が形成されている。詳細には、本変形例の容器１００には、Ｘ軸方向において、主電解液移動部４６１に対向する部分に向かうほど高さが低くなる傾斜面１２４が形成されている。本変形例の容器１００には、さらに、主電解液移動部４６２に対向する部分に向かうほど高さが低くなる傾斜面１２５が形成されている。傾斜面１２４と傾斜面１２５との間には、底面１２１に平行な上面１２６が設けられている。
【０１０８】
本変形例の容器１００は、実施の形態１の変形例１の容器１００と第二スペーサ６００とを組み合わせて一体にした形状に対応している。
【０１０９】
なお、本変形例では、傾斜面１２４および１２５が長方形状である場合を例に説明したが、これに限られるものではない。傾斜面１２４および１２５は、電解液が留まらない形状であれば、複数の傾斜、あるいは、傾斜と段差（水平面）とを組み合わせた構成であっても構わない。さらに、ＸＺ平面に平行な断面における傾斜面１２４および１２５の形状は、直線状だけでなく、湾曲した形状であっても構わない。また、傾斜面１２４および１２５の形状は、同じ形状である必要はない。さらに、傾斜面１２４および１２５を形成することで、電解液をスムーズに電極体４００の主電解液移動部４６１および４６２に集めることができる。
【０１１０】
このように、本変形例では、実施の形態１の変形例１における蓄電素子１０と同様に、容器１００の内底部１２０の少なくとも一部に、傾斜が容器１００の長手方向にわたって設けられているので、電解液を有効に利用して電極体４００の内部の電解液の不足を防止し、蓄電素子１０の寿命特性を向上させることができる。
【０１１１】
さらに、本変形例においても、実施の形態２と同様に、容器１００が内底部に長手方向にわたって高さが低くなる傾斜を有するので、第一スペーサ５０１および５０２のような別部材を設けることなく課題を解決できる。別部材を設けない構成のため、設計によっては、製造コストを低減させ、製造を容易にすることが可能になる。また、別部材の位置決め等にかかる手間を省くことができる。
【０１１２】
（実施の形態３）
実施の形態３の蓄電素子１０の構成について、図１０を用いて説明する。
【０１１３】
本実施の形態の蓄電素子１０は、実施の形態１の第一スペーサ５０１および５０２と、実施の形態２の変形例１の容器１００とを組み合わせた構成となっている。
【０１１４】
［３−１．蓄電素子の構成］
図１０は、本実施の形態に係る蓄電素子１０の一例を示す図である。図１０は、図１のＡ−Ａ部分において蓄電素子１０をＸＺ平面に平行な面で切断した場合の容器１００の形状を示す斜視図である。
【０１１５】
図１０に示すように、本変形例の容器１００は、実施の形態２の変形例１の容器１００と同様に、容器１００の長手方向の中心部から、電極体４００の主電解液移動部４６１および４６２のそれぞれに対向する部分に向かうほど高さが低くなる２つの傾斜面１２４および１２５が形成されている。傾斜面１２４と傾斜面１２５との間には、底面１２１に平行な上面１２６が設けられている。
【０１１６】
また、傾斜面１２４と短側面１１２との間には、第一スペーサ５０１が配置されている。第一スペーサ５０１の形状は、実施の形態１と同じである。傾斜面１２５と短側面１１３との間には、第一スペーサ５０２が配置されている。第一スペーサ５０２の形状は、実施の形態１と同じである。
【０１１７】
なお、本実施の形態では、実施の形態１の第一スペーサ５０１および５０２と、実施の形態２の変形例１の容器１００とを組み合わせたが、これに限るものではない。実施の形態１の第一スペーサ５０１および５０２の底面部５３０だけを有する部材と、実施の形態２の変形例１の容器１００とを組み合わせても構わない。
【０１１８】
あるいは、実施の形態１の変形例１の第二スペーサ６００と、実施の形態２の容器１００（コーナー部分に傾斜面１２２および１２３を形成）とを組み合わせても構わない。この場合において、第二スペーサ６００の形状は、ＸＺ平面に平行な断面の形状が台形状に限られるものではない。第二スペーサ６００の形状は、電解液が留まらない形状であれば、三角形状、半円状、円弧と直線とを組み合わせた多角形状等、長手方向にわたって傾斜を有する形状であれば良い。また、容器１００の傾斜面１２２および１２３は、ＸＺ平面に平行な断面の形状が直線状である場合を例に説明したが、これに限られるものではない。容器１００の傾斜面１２２および１２３のＸＺ平面に平行な断面の形状は、電解液が留まらない形状であれば、湾曲した形状、直線と曲線とを組み合わせた形状等、長手方向にわたって傾斜を有する形状であれば良い。
【０１１９】
［３−２．作用効果等］
このように、本実施の形態では、第一スペーサ５０１および５０２を設ける実施の形態の蓄電素子１０および実施の形態２の変形例１の場合と同様に、容器１００の内底部１２０の少なくとも一部に、傾斜が容器１００の長手方向にわたって設けられているので、電解液を有効に利用して電極体４００の内部の電解液の不足を防止し、蓄電素子１０の寿命特性を向上させることができる。
【０１２０】
（他の実施の形態）
以上、本発明の実施の形態およびその変形例に係る蓄電素子について説明したが、本発明は、上記実施の形態およびその変形例に限定されるものではない。つまり、今回開示された実施の形態およびその変形例は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【０１２１】
上記実施の形態および上記変形例を任意に組み合わせて構築される形態も、本発明の範囲内に含まれる。
【０１２２】
例えば、上記実施の形態および変形例１〜６では、電極体４００が巻回型の電極体である場合を例に説明したが、積層型の電極体であっても構わない。
【０１２３】
図１１は、積層型の電極体の一例を示す図である。電極体８００は、枚葉型の正極と第一セパレータと負極と第二セパレータとがこの順に繰り返し積層された構造となっている。図１１では、Ｙ軸方向が積層方向となり、Ｚ軸方向が蓄電素子１０の使用状態における垂直方向となる。電極体８００には、Ｘ軸方向の中央部分に、帯状の絶縁フィルム８０１が巻かれている。絶縁フィルム８０１は、例えば、不透液性のシートあるいは多孔性の低いシートである。電極体８００の場合、ＸＺ平面に平行な側面を除く面のうち、絶縁フィルム８０１が巻かれていない部分が、電極体８００の内部に電解液が移動しやすい主電解液移動部となる。絶縁フィルムで覆われた部分８１０は、電解液が電極体内部へと移動しづらい部分となる。電極体８００において、容器１００の内底部１２０に対向する部分では、絶縁フィルム８０１に覆われていない部分が主電解液移動部８２１および８２２となっている。
【０１２４】
図１２は、積層型の電極体の他の一例を示す図である。電極体９００は、図１１に示す電極体８００と同様に、正極と第一セパレータと負極と第二セパレータとがこの順に繰り返し積層された構造となっている。図１２に示す電極体９００は、図１１に示す電極体８００とは、絶縁フィルムの構成が異なる。電極体９００には、２つの帯状の絶縁フィルム９０１および９０２が巻かれている。電極体９００の場合、ＸＺ平面に平行な側面を除く面のうち、絶縁フィルム９０１あるいは９０２が巻かれていない部分が、電極体９００の内部に電解液が移動しやすい主電解液移動部となる。絶縁フィルムで覆われた部分９１１および９１２は、電解液が電極体内部へと移動しづらい部分となる。電極体９００において、容器１００の内底部１２０に対向する部分には、３箇所の主電解液移動部９２１、９２２および９２３を有している。
【０１２５】
なお、実施の形態、変形例３〜５では、容器またはスペーサにより２箇所に傾斜面が形成され、変形例１、２、６では、容器またはスペーサにより４箇所に傾斜面が形成されていたが、これに限られるものではない。例えば、図１２に示す電極体９００の場合、３箇所の主電解液移動部のそれぞれに対応して３箇所に凹部が形成されるように６箇所の傾斜面を設ける場合など、さらに多くの傾斜面が形成されていても構わない。
【０１２６】
また、容器１００は、角筒形に限定されるものではなく、円筒形等であっても構わない。
【産業上の利用可能性】
【０１２７】
本発明は、電解液を有効に利用することができる蓄電素子等に適用できる。
【符号の説明】
【０１２８】
１０  蓄電素子
１００  容器
１１０  蓋体
１１１  本体
１１２、１１３  短側面
１１４、１１５  長側面
１２０  内底部
１２１  底面
１２２、１２３、１２４、１２５、６０１、６０２、７０１、７０２、７０３、７０４  傾斜面
１２６、６０３、７０５、７０６、７０７  上面
２００  正極端子
２２０  正極集電体
３００  負極端子
３２０  負極集電体
４００、８００、９００  電極体
４０１  正極接続部
４０２  負極接続部
４１０  正極
４２０  負極
４３１、４３２  セパレータ
４６１、４６２、８２１、８２２、９２１、９２２、９２３  主電解液移動部
５０１、５０２  第一スペーサ
５１０  第一側面部
５１１、５１２、５２１  開口部
５２０  第二側面部
５２２  凸部
５３０  底面部
６００  第二スペーサ
７００  第三スペーサ
【図１】
2016085912.tif 000003
【図２】
2016085912.tif 000004
【図３】
2016085912.tif 000005
【図４】
2016085912.tif 000006
【図５】
2016085912.tif 000007
【図６】
2016085912.tif 000008
【図７】
2016085912.tif 000009
【図８】
2016085912.tif 000010
【図９】
2016085912.tif 000011
【図１０】
2016085912.tif 000012
【図１１】
2016085912.tif 000013
【図１２】
2016085912.tif 000014